(57)【要約】【課題】  構造が簡単であり、トレイドアが閉まる際に、トレイドアとフロンパネルが当たるときにこれらの間の接触面積を減らすことができ、消音効果を得ることができるトレイドアの消音構造を提供する。【解決手段】  フロントパネル１の開口部１ａの上側縁近傍箇所であって、トレイドア２の上端側左右隅部と上端側略中央部に対応する３箇所に、トレイドア２が閉まる時に当接してトレイドア２の閉まる音を小さくするための消音リブからなる緩衝部３Ａ、３Ｂ、３Ｃがフロントパネル１と一体に設けられ、左右隅部の消音リブ３Ａ、３Ｃからなる緩衝部は略Ｌ字形に形成されている。【選択図】  図１
2007058926.tif 000002
【特許請求の範囲】
【請求項１】
フロントパネルのトレイ出し入れ用の開口部を開閉するトレイドアが閉まる時に消音するようにしたトレイドアの消音構造において、前記フロントパネルの開口部の上側縁近傍箇所であって、前記トレイドアの上端側左右隅部と上端側略中央部に対応する３箇所に、前記トレイドアが閉まる時に当接して前記トレイドアの閉まる音を小さくするための消音リブからなる緩衝部が前記フロントパネルと一体に設けられ、前記左右隅部の消音リブからなる緩衝部は略Ｌ字形に形成されていることを特徴とするトレイドアの消音構造。
【請求項２】
フロントパネルのトレイ出し入れ用の開口部を開閉するトレイドアが閉まる時に消音するようにしたトレイドアの消音構造において、前記フロントパネルの開口部の上側縁近傍箇所であって、前記トレイドアの上縁側略中央部に対応する１箇所あるいは前記トレイドアの上側縁に対応する複数箇所に、前記トレイドアが閉まる時に当接して前記トレイドアの閉まる音を小さくするための緩衝部が設けられていることを特徴とするトレイドアの消音構造。
【請求項３】
前記緩衝部は弾性部材で形成されている請求項２に記載のトレイドアの消音構造。
【発明の詳細な説明】
【技術分野】
【０００１】
本発明は、フロントパネルのトレイ出し入れ用の開口部を開閉するトレイドアが閉まる時に消音するようにしたトレイドアの消音構造に関するものである。
【背景技術】
【０００２】
第１の従来技術を図５（ａ）（ｂ）に示す。この従来のディスク再生装置のトレイ構造は、図５（ａ）（ｂ）に示すように、トレイ１０３の正面にトレイパネル１０５が取り付けられ、このトレイパネル１０５の背面両側には軸１０６が延設され、この軸１０６は、トレイ１０３の正面側に形成しているフロント部１０７の軸穴１０８に嵌められている。軸１０６の先端には外径を大きくしたツバ１０９が設けられているために、軸１０６が軸穴１０８から抜けることがない。また、ツバ１０９とフロント部１０７との間には弾性体１１０が介在されている。（ａ）はトレイ１０３がフロントパネル１１１から正面に一部前進・突出した状態であり、（ｂ）はトレイ１０３が後退してディスク再生装置に収納されている状態を示している。フロントパネル１０１には開口１０２が設けられ、この開口１０２を通過してトレイ１０３はスライドし、前進・突出したディスク着脱位置と後退したディスク収納位置との間を移動することができるようになっている。
【０００３】
トレイ１０３が後退して（ｂ）に示すようにディスク再生装置に収納された場合、トレイパネル１０５はフロントパネル１１１の開口１０２に収まる。開口１０２はその大きさが２段階に形成され、開口１０２ａの底は平面１１２と成っている。トレイ１０３が後退する場合、フロント部１０７に取り付けているトレイパネル１０５はフロントパネル１１１の開口１０２ａには収納されるが、大きさが小さい開口１０２ｂを通過することができず、平坦面１１２に接して位置決め停止する。ここで、トレイパネル１０５に設けている軸１０６には弾性体１１０が取り付けられていて、（ｂ）に示しているように弾性体１１０は圧縮され、トレイパネル１０５は開口１０２ａの底である平坦面１１２に弾性力が付勢された状態で接している。
【０００４】
このように、弾性体１１０の弾性力を付勢した状態でトレイパネル１０５が開口１０２ａの平坦面１１２に接することで、外からの衝撃や振動がトレイパネル１０５に作用しても、トレイ１０３への影響を遮断できる。（例えば、特許文献１参照）。
【０００５】
ところが、これにおいては、構造が複雑であり、組み立てが行いにくいという問題があった。  
【特許文献１】特開２００４−８６９３９号公報
【発明の開示】
【発明が解決しようとする課題】
【０００６】
本発明は、上記従来の問題に鑑みてなされたものであって、構造が簡単であり、トレイドアが閉まる際に、トレイドアとフロンパネルが当たるときにこれらの間の接触面積を減らすことができ、消音効果を得ることができるトレイドアの消音構造を提供することを目的としている。
【課題を解決するための手段】
【０００７】
本発明は、上記課題を解決するために提案されたものであって、請求項１に記載の発明は、フロントパネルのトレイ出し入れ用の開口部を開閉するトレイドアが閉まる時に消音するようにしたトレイドアの消音構造において、前記フロントパネルの開口部の上側縁近傍箇所であって、前記トレイドアの上端側左右隅部と上端側略中央部に対応する３箇所に、前記トレイドアが閉まる時に当接して前記トレイドアの閉まる音を小さくするための消音リブからなる緩衝部が前記フロントパネルと一体に設けられ、前記左右隅部の消音リブからなる緩衝部は略Ｌ字形に形成されていることを特徴としている。
【０００８】
請求項２に記載の発明は、フロントパネルのトレイ出し入れ用の開口部を開閉するトレイドアが閉まる時に消音するようにしたトレイドアの消音構造において、前記フロントパネルの開口部の上側縁近傍箇所であって、前記トレイドアの上縁側略中央部に対応する１箇所あるいは前記トレイドアの上側縁に対応する複数箇所に、前記トレイドアが閉まる時に当接して前記トレイドアの閉まる音を小さくするための緩衝部が設けられていることを特徴としている。
【０００９】
請求項３に記載の発明は、請求項２に記載の発明において、前記緩衝部は弾性部材で形成されている。
【発明の効果】
【００１０】
請求項１に記載の発明によれば、トレイドアが閉まるときに、消音リブからなる緩衝部にトレイドアが当接するから、トレイドアとフロントパネルの間の接触面積を減らすことができ、消音効果を得ることができる。また、フロントパネルの開口部の上側縁近傍箇所に消音リブからなる緩衝部をフロントパネルと一体に設けてあるから、その構造が簡単で金型による製作が容易で且つ構造を簡単化することができる。しかも、フロントパネルの上側縁近傍箇所であって、トレイドアの上縁側左右隅部と上端側中央部に対応する３箇所に消音リブからなる緩衝部が設けられているから、トレイドアの中央部がフロントパネル側に向けて湾曲している場合でも、このトレイドアの中央部が消音リブからなる緩衝部に当たるので消音効果をより一層高めることができる。
【００１１】
請求項２に記載の発明によれば、トレイドアが閉まるときに、緩衝部がトレイドアに当接するから、トレイドアとフロントパネルの間の接触面積を減らすことができ、消音効果を得ることができる。また、フロントパネルの開口部の上側縁近傍箇所であって、トレイドアの上縁側略中央部に対応する１箇所あるいはトレイドアの上側縁に対応する複数箇所に緩衝部を設けただけの構造であるから、この構造を簡単化することができる。
【００１２】
請求項３に記載の発明によれば、緩衝部が弾性部材で形成されているから、トレイドアがこの弾性部材からなる緩衝部に当たる際の消音効果をより一層高めることができる。
【発明を実施するための最良の形態】
【００１３】
以下、本発明に係るトレイドアの消音構造の実施形態について、図を参照しつつ説明する。
【００１４】
図１は本発明のトレイドアの消音構造の第１実施形態を示す正面図、図２は同構造の要部の部分拡大正面図である。
【００１５】
第１実施形態のトレイドアの消音構造は、図１に示すように、フロントパネル１にトレイを出し入れするための開口部１ａが設けられ、この開口部１ａを開閉するためのトレイドア２が開閉可能に設けられている。このトレイドア２は下端部がフロントパネル１に枢着され、上側が開閉するようになっている。フロントパネル１には、その開口部１ａの上側縁近傍箇所であって、トレイドア２の上端側左右隅部と上端側略中央部に対応する箇所に、トレイドア２が閉まる時に当接してトレイドア２の閉まる音を小さくするための消音リブからなる緩衝部３Ａ、３Ｂ、３Ｃがフロントパネル１と一体に設けられている。左右隅部の消音リブからなる緩衝部３Ａ、３Ｃは、図２に示すように、略Ｌ字形に形成されている。尚、緩衝部３Ａ、３Ｂ、３Ｃは消音リブからなるものに限らず、ゴム等の弾性部材で形成されていてもよい。
【００１６】
この第１実施形態によれば、トレイドア２が閉まるときに、消音リブからなる緩衝部３Ａ、３Ｂ、３Ｃにトレイドア２が閉まるときに当接するから、トレイドア２とフロントパネル１の間の接触面積を減らすことができ、消音効果を得ることができる。また、フロントパネル１の開口部１ａの上側縁近傍箇所に消音リブからなる緩衝部３Ａ、３Ｂ、３Ｃをフロントパネル１と一体に設けてあるから、その構造が簡単で金型による製作が容易で且つ構造を簡単化することができる。しかも、フロントパネル１の上側縁近傍箇所であって、トレイドア２の上縁側左右隅部と上端側中央部に対応する３箇所に消音リブからなる緩衝部３Ａ、３Ｂ、３Ｃが設けられているから、トレイドア２の中央部がフロントパネル側に向けて湾曲している場合でも、このトレイドア２の中央部が消音リブからなる緩衝部３Ｂに当たるので消音効果をより一層高めることができる。また、緩衝部３Ａ、３Ｂ、３Ｃがゴム等の弾性部材からなるものでは、トレイドア２が緩衝部３Ａ、３Ｂ、３Ｃに当たる際の消音効果をより一層高めることができる。
【００１７】
図３は第２実施形態のトレイドアの消音構造の正面図である。尚、上記した第１実施形態と同一部材、同一箇所は、符号を付してその説明を省略する。
【００１８】
この第２実施形態のトレイドアの消音構造は、図３に示すように、フロントパネル１の開口部１ａの上側縁近傍箇所であって、トレイドアの上側略中央部に対応する箇所に１箇所だけ消音リブからなる緩衝部３Ｂが設けられている。この第２実施形態によれば、消音リブからなる緩衝部３Ｂが１箇所設けられているだけであるから、その構造を簡単化することができる。
【００１９】
図４は第３実施形態のトレイドアの消音構造の正面図である。
【００２０】
この第３実施形態のトレイドアの消音構造は、図４に示すように、フロントパネル１の開口部１ａの上側縁近傍箇所であって、トレイドア２の上端側左右隅部に対応する箇所に略Ｌ字形の消音リブからなる緩衝部３Ａ、３Ｃが設けられている。この第３実施形態によれば、トレイドア２の上端側左右隅部を左右２箇所の緩衝部３Ａ、３Ｂで受けるから、十分な消音効果を得ることができ、その構造を簡単化することができる。
【図面の簡単な説明】
【００２１】
【図１】本発明のトレイドアの消音構造の第１実施形態を示す正面図である。
【図２】同構造の要部の部分拡大正面図である。
【図３】第２実施形態のトレイドアの消音構造の正面図である。
【図４】第３実施形態のトレイドアの消音構造の正面図である。
【図５】従来のディスク再生装置のトレイ構造を示し、（ａ）はトレイが開いた状態の部分断面図、（ｂ）はトレイが閉まった状態の部分断面図である。
【符号の説明】
【００２２】
１        フロントパネル
１ａ      開口部
２        トレイドア
３Ａ      緩衝部
３Ｂ      緩衝部
３Ｃ      緩衝部
【図３】
2007058926.tif 000003
【図４】
2007058926.tif 000004
【図１】
2007058926.tif 000005
【図２】
2007058926.tif 000006
【図５】
2007058926.tif 000007